(57)【要約】 【課題】  既存梁を側方から仮受けすることができない場合であっても、柱撤去に伴う鉛直荷重の受け代えを可能にする。【解決手段】本発明に係る柱梁架構の補強構造１は、互いに対向配置された一対の既存柱３，３のうち、対向側面に添柱４，４をそれぞれ接着するとともに、既存柱３，３の頭部に架け渡された既存梁５と添柱４，４との間にアーチ部材６，６をそれぞれ配置してなる。既存梁５の下面には、既存の中間柱７のうち、撤去されずに残置された頂部７ａが垂設されているとともに、該頂部には、下方先細となるテーパ面８，８が形成してある。アーチ部材６，６は、頂部７ａの両側にほぼ対称に配置してあり、それらの下端を添柱４，４の頂部端面に、上端をテーパ面８，８にそれぞれ当接してある。【選択図】  図１
2010037746.tif 000002
【特許請求の範囲】
【請求項１】
対向配置された一対の柱の対向側面に添柱をそれぞれ接着するとともに、該添柱と前記柱に架け渡された梁の下面に垂設された中間柱の残置頂部との間にアーチ部材をそれぞれ配置してなり、前記残置頂部の側面のうち、互いに背面側となる２つの側面には所定のテーパ面が下方先細となるように形成してあるとともに、前記各アーチ部材は、それらの下端を前記添柱の頂部端面に、それらの上端を前記テーパ面にそれぞれ当接してあることを特徴とする柱梁架構の補強構造。
【請求項２】
対向配置された一対の柱の対向側面に添柱をそれぞれ接着し、
該添柱の接着工程と同時に又は相前後して、前記柱に架け渡された梁を支持する中間柱の頂部であって互いに背面側となる２つの側面に所定のテーパ面を下方先細となるようにそれぞれ形成し、
２つのアーチ部材を、それらの下端が前記添柱の頂部端面にそれぞれ当接されるようにかつ上端が前記テーパ面にそれぞれ当接されるように配置し、
前記中間柱をその頂部が残置されるように撤去することを特徴とする柱梁架構の補強方法。
【発明の詳細な説明】
【技術分野】
【０００１】
本発明は、主としてリフォーム工事の際に採用される柱梁架構の補強構造及び方法に関する。
【背景技術】
【０００２】
住宅においては、家族構成の変動や生活指向の変化等に伴い、新築当時の間取りを変更して広い空間を確保したいというニーズが生じる。
【０００３】
かかるニーズに応えるためには、隣接居室との境界に立設されている柱や壁を撤去することになるが、この場合、柱が負担していた鉛直荷重を別部材で受け代えるための補強工事が不可欠になる。
【０００４】
そこで、対向配置された一対の既存柱のうち、互いに向かい合う側面に添柱をそれぞれ接着するとともに、該既存柱の頭部に架け渡された既存梁の下面に添梁を接着し、添柱の頭部及び添梁の端部が両側面から挟み込まれるように、添柱の頭部及び添梁の端部に一対の補強板を接着してなる柱梁架構が本出願人によって提案された（特許文献３）。
【０００５】
【特許文献１】特開平１−２１９２３０号公報
【特許文献２】実用新案登録第３１０９８１０号公報
【特許文献３】特開２００７−４６４０３号公報
【発明の開示】
【発明が解決しようとする課題】
【０００６】
上記提案によれば、添柱によって鉛直荷重の受け代えが可能になるが、そのためには、柱を撤去する前に既存梁を仮受けするための支保工を予め設置するとともに、補強工事が完了するまで既存梁の仮受けを継続する必要がある。
【０００７】
しかしながら、かかる補強工事においては、既存梁を側方から仮受けするなどの措置を採ることで支保工と添梁との干渉を防がねばならないため、場合によっては、支保工が邪魔になって添梁を施工することができないケースが生じ、結果として添梁による補強工事が不可能になるという問題を生じていた。
【課題を解決するための手段】
【０００８】
本発明は、上述した事情を考慮してなされたもので、既存梁を側方から仮受けすることができない場合であっても、柱撤去に伴う鉛直荷重の受け代えが可能な柱梁架構の補強構造及び方法を提供することを目的とする。
【０００９】
上記目的を達成するため、本発明に係る柱梁架構の補強構造は請求項１に記載したように、対向配置された一対の柱の対向側面に添柱をそれぞれ接着するとともに、該添柱と前記柱に架け渡された梁の下面に垂設された中間柱の残置頂部との間にアーチ部材をそれぞれ配置してなり、前記残置頂部の側面のうち、互いに背面側となる２つの側面には所定のテーパ面が下方先細となるように形成してあるとともに、前記各アーチ部材は、それらの下端を前記添柱の頂部端面に、それらの上端を前記テーパ面にそれぞれ当接してあるものである。
【００１０】
また、本発明に係る柱梁架構の補強方法は請求項２に記載したように、対向配置された一対の柱の対向側面に添柱をそれぞれ接着し、該添柱の接着工程と同時に又は相前後して、前記柱に架け渡された梁を支持する中間柱の頂部であって互いに背面側となる２つの側面に所定のテーパ面を下方先細となるようにそれぞれ形成し、２つのアーチ部材を、それらの下端が前記添柱の頂部端面にそれぞれ当接されるようにかつ上端が前記テーパ面にそれぞれ当接されるように配置し、前記中間柱をその頂部が残置されるように撤去するものである。
【００１１】
本発明に係る柱梁架構の補強構造においては、梁の下面に垂設された中間柱の残置頂部が中央に配され、その両側にアーチ部材が延びており、下端で添柱の頂部端面にそれぞれ当接してある。
【００１２】
ここで、残置頂部には、下方先細となるようにテーパ面が形成してあり、該テーパ面にアーチ部材の上端を当接してある。
【００１３】
そのため、梁に載荷される上階の鉛直荷重は、中間柱の残置頂部に形成されたテーパ面からアーチ部材の上端に軸力として伝達するとともに、該アーチ部材の下端から添柱の頂部端面に軸力として伝達する。
【００１４】
すなわち、中間柱の残置頂部及び２つのアーチ部材は全体としてアーチ構造となり、中間柱の残置頂部は、アーチ構造のキーストーン（楔石）となる。
【００１５】
本発明に係る柱梁架構の補強構造を構築するには、まず、対向配置された一対の柱の対向側面に添柱をそれぞれ接着する。
【００１６】
一方、柱に架け渡された梁を支持する中間柱の頂部であって互いに背面側となる２つの側面にテーパ面を下方先細となるように形成する。
【００１７】
テーパ面を形成する工程は、添柱の接着工程と同時でもよいし、相前後してもかまわない。
【００１８】
次に、２つのアーチ部材を、それらの下端が添柱の頂部端面にそれぞれ当接され、かつ上端がテーパ面にそれぞれ当接されるように配置する。
【００１９】
最後に、中間柱をその頂部が残置されるように撤去する。
【００２０】
このようにすると、既存の中間柱に伝達していた上階からの鉛直荷重は、アーチ部材を取り付けた後は、該アーチ部材を介して添柱に伝達し、中間柱には伝達しなくなり、かくして荷重の受け代えを行いつつ、既存の中間柱を頂部だけ残して撤去することが可能となる。
【００２１】
アーチ部材は、材軸方向に沿って軸力を伝達支持できる部材であればその構成は任意であって、木質系材料をはじめとしたさまざまな材質の部材を用いることが可能であるとともに、例えば材軸方向に沿って繊維方向を揃えてなる木質集成材で構成することができる。
【発明を実施するための最良の形態】
【００２２】
以下、本発明に係る柱梁架構の補強構造及び方法の実施の形態について、添付図面を参照して説明する。なお、従来技術と実質的に同一の部品等については同一の符号を付してその説明を省略する。
【００２３】
図１は、本実施形態に係る柱梁架構の補強構造を示した正面図である。同図でわかるように、本実施形態に係る柱梁架構の補強構造１は、互いに対向配置された一対の既存柱３，３のうち、対向側面に添柱４，４をそれぞれ接着するとともに、既存柱３，３の頭部に架け渡された既存梁５と添柱４，４との間にアーチ部材６，６をそれぞれ配置してなる。
【００２４】
添柱４は、例えば既存柱３と同一断面とすればよい。
【００２５】
既存梁５の下面には、既存の中間柱７のうち、撤去されずに残置された頂部７ａが垂設されているとともに、該頂部には、同図(b)に示すように下方先細となるテーパ面８，８が形成してある。
【００２６】
アーチ部材６，６は、頂部７ａの両側にほぼ対称に配置してあり、それらの下端を添柱４，４の頂部端面に、上端をテーパ面８，８にそれぞれ当接してある。
【００２７】
アーチ部材６は、材軸方向に沿って軸力を伝達支持できるように適宜構成すればよく、例えば木質材、特に材軸方向に沿って繊維方向を揃えてなる木質集成材で構成することができる。アーチ部材６の曲率や添柱４の高さについては、既存梁５から受ける鉛直荷重の大きさ等を考慮して適宜定めればよい。
【００２８】
本実施形態に係る柱梁架構の補強構造１においては、上階からの鉛直荷重は、既存柱３，３に伝達するほか、梁５を介して頂部７ａに伝達し、さらに該頂部のテーパ面８，８を介してアーチ部材６，６及び添柱４，４へと伝達する。
【００２９】
すなわち、中間柱７の残置頂部７ａ及び２つのアーチ部材６，６は全体としてアーチ構造になるとともに、残置頂部７ａは、アーチ構造のキーストーン（楔石）として機能し、かくして上階からの鉛直荷重は、撤去前の中間柱７に代わって、アーチ部材６，６及び添柱４，４によって支持される。
【００３０】
図２及び図３は、本実施形態に係る柱梁架構の補強構造１を構築する手順を示したものである。柱梁架構の補強構造１を構築には、まず図２に示すように、対向配置された一対の柱３，３の対向側面に添柱４，４をそれぞれ接着する。
【００３１】
一方、既存梁５を支持する中間柱７の頂部であって互いに背面側となる２つの側面にテーパ面８，８を下方先細となるように形成する。テーパ面８，８を形成する工程は、添柱４，４の接着工程と同時でもよいし、相前後してもかまわない。
【００３２】
次に、図３に示すように、２つのアーチ部材６，６を、それらの下端が添柱４，４の頂部端面に、上端がテーパ面８，８にそれぞれ当接されるように配置する。
【００３３】
最後に、中間柱７をその頂部７ａが残置されるように撤去する。中間柱７を撤去するにあたっては、図３(b)に示すように頂部７ａの直下Ａとさらにその下方位置Ｂの二箇所を切断することで部材片３１を抜き去り、しかる後、図示しない土台のほぞ穴から抜いて撤去すればよい。
【００３４】
以上説明したように、本実施形態に係る柱梁架構の補強構造１及びその構築方法によれば、既存梁５に載荷される上階の鉛直荷重は、中間柱７の残置頂部７ａに形成されたテーパ面８，８からアーチ部材６，６の上端に軸力として伝達するとともに、該アーチ部材の下端から添柱４，４の頂部端面に軸力として伝達する。
【００３５】
すなわち、中間柱７の残置頂部７ａ及び２つのアーチ部材６，６は全体としてアーチ構造となり、残置頂部７ａは、アーチ構造のキーストーン（楔石）としての役目を果たす。
【００３６】
したがって、既存の中間柱７で支持していた上階からの鉛直荷重を添柱４，４へとスムーズに受け代えることができるとともに、アーチ部材６，６を取り付けた後は中間柱７に鉛直荷重が作用しないため、頂部７ａだけを残して容易に中間柱７を撤去することが可能となる。
【図面の簡単な説明】
【００３７】
【図１】本実施形態に係る柱梁架構の補強構造１の正面図。
【図２】本実施形態に係る柱梁架構の補強構造１を構築する手順を示した図。
【図３】同じく柱梁架構の補強構造１を構築する手順を示した図。
【符号の説明】
【００３８】
１                            柱梁架構の補強構造
３                            既存柱（柱）
４                            添柱
５                            既存梁（梁）
６                            アーチ部材
７                            中間柱
７ａ                          頂部
８                            テーパ面
【図１】
2010037746.tif 000003
【図２】
2010037746.tif 000004
【図３】
2010037746.tif 000005